(57)【要約】      （修正有）【課題】改良型手部マッサージ器を提供する。【解決手段】本体、エアバッグアセンブリ４、エアポンプ５、エアバルブ６、回路基板７、ボタンアセンブリ８と振動モータ９を備える。本体には前後を貫く貫通孔２１があり、貫通孔の先端に開口を有し、後端に四つの指孔が設けられている。本体の両側にはそれぞれ切り欠き１３、１４が配設されている。エアバッグアセンブリには第一エアバッグ４１と第二エアバッグが設けられており、第一エアバッグは孔の上部につけ、第二エアバッグは孔の下部につけている。エアポンプがエアバルブに接続されており、エアバルブが第一エアバッグと第二エアバッグに接続されており、エアポンプやエアバルブ、振動モータ及びボタンアセンブリはそれぞれ回路基板に接続されている。本考案は掌や手の甲及び五指を同時にマッサージする機能が持ち、手を全面的にマッサージできる。機能が多様で、効果がよい。本体の両側にはそれぞれ切り欠きが設けられ、両手とも使用できる。【選択図】図１
0003221451.tif 000002
【実用新案登録請求の範囲】
【請求項１】
本体、前記本体に付けたエアバッグアセンブリ、エアポンプ、エアバルブ、回路基板、ボタンアセンブリ、及び、振動モータを備え、
前記本体は、前後を貫く貫通孔を有し、貫通孔の先端に開口を有し、貫通孔の後端に四つの指孔を設け、両側にそれぞれ切り欠きが設けられ、
前記エアバッグアセンブリには、第一エアバッグと第二エアバッグが設けられ、
第一エアバッグは、前記本体における貫通孔の上部に設けられ、第二エアバッグは、前記本体における貫通孔の下部に設けられ、
前記エアポンプがエアバルブに接続されており、エアバルブが前記第一エアバッグと第二エアバッグに接続されており、
エアポンプ、エアバルブ、振動モータ及びボタンアセンブリは、それぞれ前記回路基板に接続されていることを特徴とする改良型手部マッサージ器。
【請求項２】
前記第一エアバッグと第二エアバッグのそれぞれには、指をマッサージするための第一マッサージ部と掌又は手の甲をマッサージするための第二マッサージ部が設けられることを特徴とする請求項１に記載の改良型手部マッサージ器。
【請求項３】
前記第一エアバッグと第二エアバッグの少なくとも一方の中には、ヒーターが設けられており、前記ヒーターが電源コードを介して回路基板に接続されていることを特徴とする請求項２に記載の改良型手部マッサージ器。
【請求項４】
前記第一エアバッグと第二エアバッグには、少なくとも１つのシリカゲルマッサージシート及び／又はプラスチック成形ラベルが設けられ、本体の貫通孔の上部に設置される第一エアバッグのシリカゲルマッサージシート及び／又はプラスチック成形ラベルが下に向けて設置されており、本体の貫通孔の下部に設置される第二エアバッグのシリカゲルマッサージシート及び／又はプラスチック成形ラベルが上に向けて設置されていることを特徴とする請求項２に記載の改良型手部マッサージ器。
【請求項５】
前記本体は、中空な外ケースと内ケースを含み、外ケースが上ケース及び上ケースと互いに係合する下ケースを含み、外ケースの左右両側には切り欠きが対称に設けられており、中空な外ケースには前後を貫く貫通孔を有する内ケースが設けられており、内ケースの外周と外ケースの内壁との間には収容空間があり、前記エアバッグアセンブリ、エアポンプ、エアバルブ、回路基板、ボタンアセンブリ、及び振動モータが前記収容空間に設置され、内ケースにおける外ケースの２つの切り欠きに対応する位置には外向きに突起する第二切り欠きが設けられていることを特徴とする請求項１に記載の改良型手部マッサージ器。
【請求項６】
前記収容空間は、内ケースの最上面と上ケースの最下面との間に形成される上収容空間及び内ケースの最下面と下ケースの最上面との間に形成される下収容空間を有し、前記上収容空間の中心に前記第一エアバッグが設けられており、前記下収容空間の中心に前記第二エアバッグが設けられていることを特徴とする請求項５に記載の改良型手部マッサージ器。
【請求項７】
前記本体は、指スリーブを有し、当該指スリーブは内ケースの貫通孔に合わせて設けられており、前端のＰＶＣ板と後端のＰＶＣ板とは布製のスリーブを介して接続されており、指スリーブにおける前端のＰＶＣ板の近傍の一端の両側には、内ケースの第二切り欠きに貼り合わせることが可能な第三切り欠きがそれぞれ設けられており、指スリーブの後端のＰＶＣ板の開口の中には、布製の前記四つの指孔が設けられていることを特徴とする請求項５に記載の改良型手部マッサージ器。
【請求項８】
前記指スリーブの前端のＰＶＣ板及び後端のＰＶＣ板にはそれぞれクランプウォールが形成され、指スリーブの後端のＰＶＣ板が内ケースの貫通孔を突き抜け、後端のＰＶＣ板のクランプウォールが内ケースと外ケースの後端に緊密に係合されており、指スリーブの前端のＰＶＣ板が内ケースの前端に貼り付けられており、前端のＰＶＣ板のクランプウォールが内ケースと外ケースの前端に緊密に係合されていることを特徴とする請求項７に記載の改良型手部マッサージ器。
【請求項９】
前記ボタンアセンブリには少なくとも一つのボタンとボタン固定板が含まれており、外ケースの上ケースの最上面に前記ボタンアセンブリの取り付け用のボタン設置部が設けられており、ボタンが上ケースのボタン設置部に装着されており、ボタンの最下部がボタン固定板に設置されており、ボタンが前記回路基板に接続されていることを特徴とする請求項１に記載の改良型手部マッサージ器。
【請求項１０】
内ケースの最上面及び最下面と外ケースの上ケース及び下ケースは、互いに挿設して係合される挿柱及び挿孔を介して一体に固定されていることを特徴とする請求項４に記載の改良型手部マッサージ器。
【考案の詳細な説明】
【技術分野】
【０００１】
本考案は、マッサージの技術分野に関し、特に改良型手部マッサージ器に関する。
【背景技術】
【０００２】
現代生活のペースの加速に伴い、人々の生活が徐々に繁忙になってきている。人々は、余暇の運動に長い間参加せず、身体の機能が徐々に低下していく傾向がある。特に、手作業の仕事をする人々は、長期に渡る手作業の仕事により指を痛め、作業効率に悪影響が及び、手に損傷を負うおそれがある。
【０００３】
多くの人々は、健康管理のためにマッサージを利用する。マッサージを利用する人々は、通常は背中や足のマッサージを重視し、手部のマッサージを軽視する傾向がある。しかしながら、手は健康に非常に大きな影響力を持つものである。手が非常に敏感な全息胚だと言われ、手をマッサージすることは体全体をマッサージするのと同等の効果がある。「１０本の指は心臓に直結する」と言われるように、手を動かすことは脳と全身の健康にメリットがある。私たちの手には３００以上のツボがある。毎日仕事の合間にすこしだけ手をマッサージをするだけで、健康に非常によい効果をもたらすことができ、簡単で便利である。科学的な手部のマッサージは、人間の病気を治療したり軽減することもでき、手をマッサージすることは多くの利点がある。手部マッサージ器のマッサージは、長年の伝統的な中国ツボ学及び臨床的実践に基づくものである。手部マッサージ器により、局所刺激で神経終末に選択的刺激を施し、局所および反射効果をもたらすことで、局所筋肉組織および関節痛を和らげ、様々な慢性疾患を軽減し、身体をリラックスさせ、ストレスを軽減でき、健康を保つ効果がある。このような理由から、手部マッサージ器は、ますます多くの人々に好まれている。
【０００４】
従来の技術では、マッサージ用手袋は多数存在するが、これらのマッサージ用手袋の大部分は、掌部分に粒面を設け、筋肉の刺激を強化してマッサージ効果を高めるものであった。従来の技術のマッサージの範囲は限られ、機能は単一で、履き心地は良好でなく、手と指全体のマッサージができない、という欠点があった。さらに、マッサージ手袋は、セットで購入する必要があり、コストが高かった。
【考案の概要】
【考案が解決しようとする課題】
【０００５】
本考案は従来技術の欠点を克服し、コンパクトな構造、便利な使用および良好なマッサージ効果を有する改良型手部マッサージ器を提供することを目的とする。
【課題を解決するための手段】
【０００６】
上記目的を達成するための本発明の解決策は以下の通りである。
【０００７】
本体、前記本体に付けたエアバッグアセンブリ、エアポンプ、エアバルブ、回路基板、ボタンアセンブリ、及び、振動モータを備え、前記本体は、前後を貫く貫通孔を有し、貫通孔の先端に開口を有し、貫通孔の後端に四つの指孔を設け、両側にそれぞれ切り欠きが設けられ、前記エアバッグアセンブリには、第一エアバッグと第二エアバッグが設けられ、第一エアバッグは、前記本体における貫通孔の上部に設けられ、第二エアバッグは、前記本体における貫通孔の下部に設けられ、前記エアポンプがエアバルブに接続されており、エアバルブが前記第一エアバッグと第二エアバッグに接続されており、エアポンプ、エアバルブ、振動モータ及びボタンアセンブリは、それぞれ前記回路基板に接続されていることを特徴とする改良型手部マッサージ器である。
【０００８】
さらに、前記第一エアバッグと第二エアバッグのそれぞれには、指をマッサージするための第一マッサージ部と掌又は手の甲をマッサージするための第二マッサージ部が設けられてもよい。
【０００９】
さらに、前記第一エアバッグと第二エアバッグの少なくとも一方の中には、ヒーターが設けられており、前記ヒーターが電源コードを介して回路基板に接続されていてもよい。
【００１０】
さらに、前記第一エアバッグと第二エアバッグには、少なくとも１つのシリカゲルマッサージシート及び／又はプラスチック成形ラベルが設けられ、本体の貫通孔の上部に設置される第一エアバッグのシリカゲルマッサージシート及び／又はプラスチック成形ラベルが下に向けて設置されており、本体の貫通孔の下部に設置される第二エアバッグのシリカゲルマッサージシート及び／又はプラスチック成形ラベルが上に向けて設置されていてもよい。
【００１１】
さらに、前記本体は、中空な外ケースと内ケースを含み、外ケースが上ケース及び上ケースと互いに係合する下ケースを含み、外ケースの左右両側には切り欠きが対称に設けられており、中空な外ケースには前後貫通する孔を有する内ケースが設けられており、内ケースの外周と外ケースの内壁との間には収容空間があり、前記エアバッグアセンブリ、エアポンプ、エアバルブ、回路基板、ボタンアセンブリ、及び振動モータが前記収容空間に設置され、内ケースにおける外ケースの２つの切り欠きに対応する位置には外向きに突起する第二切り欠きが設けられていてもよい。
【００１２】
さらに、前記収容空間は、内ケースの最上面と上ケースの最下面との間に形成される上収容空間及び内ケースの最下面と下ケースの最上面との間に形成される下収容空間を有し、前記上収容空間の中心に前記第一エアバッグが設けられており、前記下収容空間の中心に前記第二エアバッグが設けられていてもよい。
【００１３】
さらに、前記本体は、指スリーブを有し、当該指スリーブは内ケースの貫通孔に合わせて設けられており、前端のＰＶＣ板と後端のＰＶＣ板とは布製スリーブを介して接続されており、指スリーブにおける前端のＰＶＣ板の近傍の一端の両側には、内ケースの第二切り欠きに貼り合わせることが可能な第三切り欠きがそれぞれ設けられており、指スリーブにおける後端のＰＶＣ板開口の中には、布製の前記四つの指孔が設けられていてもよい。
【００１４】
前記指スリーブの前端のＰＶＣ板及び後端のＰＶＣ板にはそれぞれクランプウォールが形成され、指スリーブの後端のＰＶＣ板が内ケースの貫通孔を突き抜け、後端のＰＶＣ板のクランプウォールが内ケースと外ケースの後端に緊密に係合されており、指スリーブの前端のＰＶＣ板が内ケースの前端に貼り付けられており、前端のＰＶＣ板のクランプウォールが内ケースと外ケースの前端に緊密に係合されていてもよい。
【００１５】
さらに、前記ボタンアセンブリには少なくとも一つのボタンとボタン固定板が含まれており、前記外ケースの上ケースの最上面に前記ボタンアセンブリ取り付け用のボタン設置部が設けられており、ボタンが上ケースのボタン設置部に装着されており、ボタンの最下部がボタン固定板に設置されており、ボタンが前記回路基板に接続されていてもよい。
【００１６】
さらに、内ケースの最上面及び最下面と外ケースの上ケース及び下ケースは、互いに挿設して係合される挿柱及び挿孔を介して一体に固定されていてもよい。
【考案の効果】
【００１７】
上記構造により、本考案の使用の際、マッサージしようとする手を伸ばし、掌又は手の甲を上或いは下に向け、４本の指を対応する４つのスリーブ内に入れてから、親指を本体左側または右側の切り欠きから出し、電源を入れ、マッサージモードを選択した後、第一エアバッグ及び第二エアバッグの第一マッサージ部は指の上部と下部をマッサージし、第一エアバッグの第二マッサージシート部は上に向いた手の部分をマッサージし、第二エアバッグの第二のマッサージ部は下に向いた手の部分をマッサージする。ヒーターは加熱効果を生み出すことができ、手は第一エアバッグ及び第二エアバッグによりマッサージされ、加熱マッサージもでき、より良いマッサージ効果が得られる。振動モータによって、振動マッサージを実現することができ、マッサージ効果をさらに向上させる。シリカゲルマッサージシート及び／又はプラスチック成形ラベルは、マッサージの快適さをさらに増やす。本考案の手部マッサージ器は、掌、手の甲及び指を同時にマッサージでき、手の全体的なマッサージも実現できる。また、マッサージ機能が多様にあり、マッサージ効果がよい。本体の両側に切り欠きが設けられており、両手をともに使用でき、掌と手の甲を区別する必要がなく、使用に便利である。本考案の各マッサージ部材は、いずれも本体内に設置され、構造がコンパクトである。エアポンプは、エアバルブを介して第一エアバッグ、第二エアバッグ及び環状エアバッグに接続されており、使用者が必要に応じてマッサージ部位を選択しやすいだけでなく、操作もしやすい。
【図面の簡単な説明】
【００１８】
【図１】本考案の分解斜視図である。
【図２】本考案の外観を示す斜視図である。
【図３】本考案を正面から見た図である。
【考案を実施するための形態】
【００１９】
本考案の技術手段をさらに説明するために、以下では具体的な実施例によって本考案を詳細に説明する。
【００２０】
ただし、本考案の説明においては、「中心」、「縦方向」、「横方向」、「上」、「下」、「前」、「後」、「左」、「右」、「垂直」、「水平」、「最上」、「最下」、「内」、「外」等の用語が指示する方位や位置関係は図面に示す方位や位置関係であり、本考案を説明しやすくして説明を簡単にするためのものだけであり、所定の装置や素子が所定の方位を有し、所定の方位で構成及び操作することを指示や暗示することではない。従って、本考案への限定であると解釈すべきではない。本考案の説明においては、別に説明すること以外、「複数」は２つや２つ以上と意味する。
【００２１】
図１〜図３に示すように、本考案は改良型手部マッサージ器を開示する。この改良型手部マッサージ器は、外ケース１、内ケース２、指スリーブ３、エアバッグアセンブリ４、エアポンプ５、エアバルブ６、回路基板７、ボタンアセンブリ８、及び振動モータ９を含む。
【００２２】
前記外ケース１は上ケース１１及び下ケース１２を含む。上ケース１１及び下ケース１２は、互いに係合して前後を貫通する中空な外ケース１を形成する。上記外ケース１の左右両側には、親指収容用の切り欠き１３が対称に設けられている。外ケース１の上ケース最上面には、前記ボタンアセンブリ８のボタン取り付け用のボタン設置部１４が設けられている。
【００２３】
前記内ケース２は、中空な外ケース１内に係合して設置される。上記内ケース２には前後を貫く貫通孔２１が設けられている。内ケース２の最上面及び最下面と外ケース１の上ケース１１及び下ケース１２とは互いに挿設して係合された挿柱及び挿孔を介して一体に固定されている。上記内ケース２の外周と外ケース１の内壁との間には収容空間２２が形成されている。エアバッグアセンブリ４、エアポンプ５、エアバルブ６、回路基板７、ボタンアセンブリ８、及び振動モータ９は、上記収容空間２２内に設置されている。上記内ケース２における外ケース１の２つの切り欠き１３に対応する位置には、外向きに突起する第二切り欠き２３が設けられている。
【００２４】
前記指スリーブ３は、内ケース２の貫通孔２１内に係合される。上記指スリーブ３の前端及び後端には、開口３１を有するＰＶＣ板がそれぞれ設けられている。前端のＰＶＣ板と後端のＰＶＣ板とは布製のスリーブ３２を介して接続されている。上記指スリーブ３における前端のＰＶＣ板の近傍の一端の両側には、外ケース１の切り欠き１３及び内ケース２の第二切り欠き２３に貼り合わせることが可能な第三切り欠き３３がそれぞれ設けられている。指スリーブ３における後端のＰＶＣ板の開口３１中には、４つの布製の指スリーブ３４が設けられている。４つの指スリーブ３４は前記布製のスリーブ３２と一体に接続されている。上記指スリーブ３前端のＰＶＣ板及び後端のＰＶＣ板にはそれぞれクランプウォール３５に形成される。指スリーブ３の後端のＰＶＣ板は、内ケース２の貫通孔２１を突き抜け、後端のＰＶＣ板のクランプウォール３５が内ケース２と外ケース１の後端に緊密に係合されている。指スリーブ３の前端のＰＶＣ板は、内ケース２の前端に貼り付けられている。前端のＰＶＣ板のクランプウォール３５は、内ケース２と外ケース１の前端に緊密に係合されている。指スリーブ３の両側の第三切り欠き３３は、内ケース２の２つの第二切り欠き２３の中に係合されている。内ケース２の２つの第二切り欠き２３は、外ケース１の２つの切り欠き１３の中に係合されている。指スリーブ３及び内ケース２を外ケース１に装着した後、図２に示される手部マッサージ器の本体が形成される。
【００２５】
前記エアバッグアセンブリ４は第一エアバッグ４１と第二エアバッグ４２を含む。内ケース２の外周と外ケース１の内壁との間に形成される収容空間２２は、上収容空間２２１及び下収容空間２２２を含む。上収容空間２２１は、内ケース２の最上面と上ケース１１の最下面との間に形成される空間である。。下収容空間２２２は、内ケース２の最下面と下ケース１２の最上面との間に形成される空間である。前記第一エアバッグ４１は、上収容空間２２１の中心内に設置されている。第二エアバッグ４２は、下収容空間２２２の中心内に設置されている。第一エアバッグ４１における指スリーブ３４の近傍の一端には、指をマッサージするための第一マッサージ部が設けられている。第一エアバッグ４１における第一マッサージ部４１１の前端には、掌や手の甲をマッサージするための第二マッサージ部が設けられている。同様に、前記第二エアバッグ４２における指スリーブ３４の近傍の一端には、指をマッサージするための第一マッサージ部４２１が設けられている。第二エアバッグ４２における第一マッサージ部の前端には、掌や指をマッサージするための第二マッサージ部４２２が設けられている。
【００２６】
上記第一エアバッグ４１及び第二エアバッグ４２は、三方継手４３を介してエアバルブ６に接続されている。エアバルブ６は、前記エアポンプ５に接続されている。エアポンプ５及びエアバルブ６は、それぞれ前記回路基板７に接続されている。前記第一エアバッグ４１及び第二エアバッグ４２には、さらに少なくとも１つのシリカゲルマッサージシート４４及び／又はプラスチック成形ラベル４５が設置可能である。上収容空間２２１に設置された第一エアバッグ４１のシリカゲルマッサージシート４４及び／又はプラスチック成形ラベル４５は下向きに設置されている。下収容空間２２２に設置された第二エアバッグ４２のシリカゲルマッサージシート４４及び／又はプラスチック成形ラベル４５は上向きに設置されている。第一エアバッグ４１及び第二エアバッグ４２の少なくとも１つの中には、さらにヒーター４６が設けられている。ヒーター４６は、電源コードを介して前記回路基板７に接続されている。
【００２７】
前記ボタンアセンブリ８は、少なくとも１つのボタン８１及びボタン固定板８２を含む。ボタン８１は、上ケース１１のボタン設置部１４に装着されている。ボタン８１の最下部は、ボタン固定板８２に設置されている。ボタン８１は、前記回路基板７に接続されている。前記エアポンプ５、エアバルブ６、ボタン固定板８２、回路基板７及び第一エアバッグ４１は、上収容空間２２１の中に設置されている。前記振動モータ９は、下収容空間２２２の中に設置されている。上記振動モータ９は、前記回路基板７に接続されている。下収容空間２２２の中にはさらに駆動電源１０が設けられている。駆動電源は、アルミニウム電池、電池パック又は電源プラグ等であってよい。駆動電源１０は、各電気デバイスに動力源を提供する。
【００２８】
本考案は、使用する時に、マッサージしようとする掌を伸ばし、掌や手の甲を上又は下に向け、指を指スリーブ３の前端の開口３１から指スリーブ３の後端に挿入し、そのうちの４つの指を指スリーブ３の後端の４つの指スリーブ３４内に対応して挿入し、親指を左側又は右側の第三切り欠き３３から伸び出し、電源を入れ、ボタン８１によってマッサージ方式を選択し、第一エアバッグ４１は手部（指及び掌や手の甲を含み）の上向きの一面をマッサージし、第二エアバッグ４２は手部（指及び手の甲や掌を含み）の下向きの一面をマッサージする。ヒーター４６は加熱効果を生み出し、それにより、第一エアバッグ４１及び第二エアバッグ４２によって手部をマッサージするだけでなく、加熱マッサージを実現でき、マッサージ効果がさらによくなる。振動モータ９は、振動マッサージを実現でき、マッサージ効果をさらに向上させる。シリカゲルマッサージシート４４及び／又はプラスチック成形ラベル４５は、マッサージの快適性をさらに向上させる。本考案の手部マッサージ器は、掌、手の甲及び指を同時にマッサージすることができ、手部全体をマッサージすることもできる。且つ、マッサージ機能が多様にあり、マッサージ効果が良好である。また、本体の両側には、いずれも切り欠きが設置されているため、両手をともに使用でき、掌や手の甲を区別する必要がなく、使用に便利である。本考案の各マッサージ部材は、いずれも本体内に設置され、構造がコンパクトである。また、エアポンプ５は、エアバルブ６を介して第一エアバッグ４１、第二エアバッグ４２及び環状エアバッグに接続されており、使用者が必要に応じてマッサージ部位を選択しやすいだけでなく、操作もしやすい。
【００２９】
上記実施例及び図面は、本考案の製品形態及び型式を限定するものではなく、いずれの当業者による適切な変化や修正であっても、本考案の考案登録請求の範囲を逸脱しないものであると見なされる。
【図１】
0003221451.tif 000003
【図２】
0003221451.tif 000004
【図３】
0003221451.tif 000005